(57)【要約】      （修正有）【課題】駐車場のスマート駐車スペース管理と空き駐車スペースを特定するための回路及び制御システムを提供する。【解決手段】少なくとも１つの駐車場からの空き駐車スペースメッセージを受信する駐車スペース管理ユニット１０であって、駐車スペース管理ユニットは対応する駐車場１００の空き駐車スペース数を記録する少なくとも１つの駐車場リスト１１及び対応する駐車場の空き駐車スペース数の計算に用いる少なくとも１つの空き駐車スペースカウントユニット２０を含むことと、駐車場の出入口のゲートマネージャー４０と駐車場管理ホスト５０の回路との間に接続する少なくとも１つのゲートアクションユニット３０であって、各空き駐車スペースカウントユニットは対応する駐車場の出入口のゲートアクションユニットに接続する。【選択図】図３
0003231331.tif 000002
【実用新案登録請求の範囲】
【請求項１】
少なくとも１つの駐車場からの空き駐車スペースメッセージを受信する駐車スペース管理ユニットであって、前記駐車スペース管理ユニットは少なくとも１つの駐車場リストを含み、各前記駐車場リストには対応する駐車場のメッセージを記録し、前記メッセージは空き駐車スペース数を含み、前記駐車スペース管理ユニットは対応する駐車場の空き駐車スペース数の計算に用いる少なくとも１つの空き駐車スペースカウントユニットを更に含むことと、
駐車場の出入口のゲートマネージャーと駐車場管理ホストの回路との間に接続する少なくとも１つのゲートアクションユニットであって、前記駐車場の出入口に車両が進入または発車すると、前記ゲートマネージャーが前記ゲートマネージャーから前記駐車場管理ホストまでの間の電気回路の状態を改変し、前記ゲートアクションユニットが前記電気回路の状態を検出し、車両が前記駐車場に進入または発車したか否かを知ることができることと、を備え、
前記駐車スペース管理ユニットの各前記空き駐車スペースカウントユニットは対応する駐車場の出入口のゲートアクションユニットに接続し、前記ゲートアクションユニットが車両の進入を検知すると、前記空き駐車スペースカウントユニットが前記対応する駐車場の空き駐車スペース数を１加算し、反対に、前記ゲートアクションユニットが車両の発車を検知すると、前記空き駐車スペースカウントユニットが前記対応する駐車場の空き駐車スペース数を１減算し、これにより前記対応する駐車場の空き駐車スペース数を知ることができることを特徴とする駐車場のスマート駐車スペース管理と空き駐車スペースを特定するための回路及び制御システム。
【請求項２】
前記ゲートマネージャーと前記駐車場管理ホストとの間の接続回路はドライ回路であり、前記駐車場の出入口のゲートが動作していない場合、前記ゲートマネージャーと前記駐車場管理ホストとの間の電気回路のスイッチが第一状態となり、前記駐車場の出入口のゲートが動作している場合、前記ゲートマネージャーが信号を前記スイッチに伝送してこれを第二状態にし、前記駐車場管理ホストが前記スイッチが第一状態または第二状態であることを検出することで前記駐車場の出入口のゲートを車両が通過したかどうかを決定し、前記ゲートアクションユニットは並列または直列方式で前記ゲートマネージャーと前記駐車場管理ホストとの間の電気回路を接続し、前記スイッチが第一状態または第二状態を検出することで、車両が前記ゲートを通過したか否かを知ることができ、前記ゲートアクションユニットは前記ゲートマネージャーと前記駐車場管理ホストとの間の電気回路のスイッチの状態を検出することで前記ゲートマネージャーが前記ゲートを動作させるか否か決定することを特徴とする請求項１に記載の駐車場のスマート駐車スペース管理と空き駐車スペースを特定するための回路及び制御システム。
【請求項３】
前記駐車場の出入口が出口及び入口に分かれている場合、前記駐車場の入口及び出口にはゲートマネージャーを各々有し、よって、入口及び出口には対応するゲートマネージャーに接続するゲートアクションユニットを各々装設し、入口のゲートアクションユニットが動作している場合は車両が進入したことを示し、反対に、出口のゲートアクションユニットが動作している場合は車両が発車したことを示し、
前記駐車スペース管理ユニットの各前記空き駐車スペースカウントユニットは対応する駐車場の前記入口及び出口のゲートアクションユニットに接続し、前記入口のゲートアクションユニットが車両が進入したことを検知すると、前記空き駐車スペースカウントユニットが前記対応する駐車場の空き駐車スペース数を１加算し、反対に、前記出口のゲートアクションユニットが車両の発車を検知すると、前記空き駐車スペースカウントユニットが前記対応する駐車場の空き駐車スペース数を１減算し、これにより前記対応する駐車場の空き駐車スペース数を知ることができることを特徴とする請求項１に記載の駐車場のスマート駐車スペース管理と空き駐車スペースを特定するための回路及び制御システム。
【請求項４】
前記駐車場の出入口を同時に出口及び入口とする場合、前記出入口には１つのゲートアクションユニットを配置し、また、前記ゲートアクションユニットには１つのゲートマネージャーを設置し、駐車場の出入口には車両の出入りを検出するための車両出入り検出器を増設し、前記ゲートアクションユニットが動作して前記車両出入り検出器が車両が駐車場に進入したことを検出する場合、前記１つのゲートマネージャーは入口のゲートマネージャーと見做し、前記ゲートアクションユニットが動作して前記車両出入り検出器が車両が駐車場を発車したことを検出する場合、前記１つのゲートマネージャーは出口のゲートマネージャーと見做すことを特徴とする請求項１に記載の駐車場のスマート駐車スペース管理と空き駐車スペースを特定するための回路及び制御システム。
【請求項５】
前記駐車スペース管理ユニットの各前記駐車場リストに記録する対応する駐車場のメッセージはアドレス及び所定の空き駐車スペース数を更に含むことを特徴とする請求項１に記載の駐車場のスマート駐車スペース管理と空き駐車スペースを特定するための回路及び制御システム。
【請求項６】
前記駐車場の空き駐車スペースが予約された場合、前記予約メッセージを前記空き駐車スペースカウントユニットまたは前記駐車場の対応する駐車場リストに記録することを特徴とする請求項１に記載の駐車場のスマート駐車スペース管理と空き駐車スペースを特定するための回路及び制御システム。
【請求項７】
前記駐車スペース管理ユニットの前記少なくとも１つの空き駐車スペースカウントユニットが複数の前記空き駐車スペースカウントユニットである場合、各前記空き駐車スペースカウントユニットを駐車場に接続し、こうして、前記駐車スペース管理ユニットが接続している全ての駐車場の空き駐車スペース数を知ることができることを特徴とする請求項１に記載の駐車場のスマート駐車スペース管理と空き駐車スペースを特定するための回路及び制御システム。
【請求項８】
前記駐車スペース管理ユニットに位置し、前記駐車スペース管理ユニットと外部的ユーザーとの間を接続するための予約インターフェースを更に備え、前記ユーザーは電子情報機器を使用してネットワークを介して前記予約インターフェースに接続し、駐車スペースを予約することを特徴とする請求項１に記載の駐車場のスマート駐車スペース管理と空き駐車スペースを特定するための回路及び制御システム。
【請求項９】
前記電子情報機器は携帯電話、パソコン、タブレット端末、PDAから選択することを特徴とする請求項７に記載の駐車場のスマート駐車スペース管理と空き駐車スペースを特定するための回路及び制御システム。
【請求項１０】
前記駐車スペース管理ユニットに位置する駐車スペース調整ユニットを更に備え、且つ前記駐車スペース調整ユニットは前記予約インターフェース及び前記少なくとも１つの駐車場リストに接続し、前記駐車スペース調整ユニットは各駐車場の空き駐車スペース情報及び関連するアドレスをユーザーに表示し、ユーザーが前記予約インターフェースを使用してシステムに進入すると、前記駐車スペース調整ユニットにより各駐車場の空き駐車スペース情報及び関連するアドレス、並びに予約状況を知ることができ、これにより駐車スペースを選択して予約可能になり、前記予約メッセージが保存されることを特徴とする請求項８に記載の駐車場のスマート駐車スペース管理と空き駐車スペースを特定するための回路及び制御システム。
【請求項１１】
前記駐車スペース管理ユニットは各ユーザーの基本データ及び取引状況を記録するためのユーザーリストを含むことを特徴とする請求項１に記載の駐車場のスマート駐車スペース管理と空き駐車スペースを特定するための回路及び制御システム。
【請求項１２】
前記ユーザーは個人またはグループであることを特徴とする請求項１０に記載の駐車場のスマート駐車スペース管理と空き駐車スペースを特定するための回路及び制御システム。
【請求項１３】
前記空き駐車スペースは全スペース一括で前記ユーザーに貸し出し可能であることを特徴とする請求項７に記載の駐車場のスマート駐車スペース管理と空き駐車スペースを特定するための回路及び制御システム。
【請求項１４】
前記駐車場管理ホストは前記駐車場のゲート端に位置することを特徴とする請求項１に記載の駐車場のスマート駐車スペース管理と空き駐車スペースを特定するための回路及び制御システム。
【請求項１５】
前記駐車スペース管理ユニットはクラウドシステムに位置することを特徴とする請求項１に記載の駐車場のスマート駐車スペース管理と空き駐車スペースを特定するための回路及び制御システム。
【請求項１６】
前記駐車スペース管理ユニットの各前記空き駐車スペースカウントユニットは補正ユニットを更に備え、前記補正ユニットは対応する駐車場リストの空き駐車スペース数及び対応するゲートアクションユニットが検出した電気回路の状態に基づいて、前記対応する駐車場リストの空き駐車スペース数を補正し、前記対応する駐車場リストの空き駐車スペース数を対応する駐車場管理ホストに記?されている実際の空き駐車スペース数に適合させることを特徴とする請求項１に記載の駐車場のスマート駐車スペース管理と空き駐車スペースを特定するための回路及び制御システム。
【考案の詳細な説明】
【技術分野】
【０００１】
本考案は、駐車場の駐車スペース管理システムに関し、更に詳しくは、駐車場のスマート駐車スペース管理と空き駐車スペースを特定するための回路及び制御システムに関する。
【背景技術】
【０００２】
車両が増加しており、政府が駐車の管理を厳格化しているため、駐車場の空き駐車スペースの需要が日増しに高まっている。然しながら、駐車場の駐車スペースの空き状況は変動が大きかった。
【考案の概要】
【考案が解決しようとする課題】
【０００３】
従来の設備は、駐車場管理ホストは駐車場の空き駐車スペースを計数する機能を有するが、その計数値は往々にして管理ホストの内部システムにしか使用できず、他のバックエンド（例えば、クラウド）装置がその計数値を獲得することはできなかった。このため、他のメーカーは前記駐車場管理ホストに接続して駐車場の空き駐車スペースの計数を得ることができないでいる。よって、駐車スペースを予約したくても、駐車場の空き駐車スペースの計数がないため、その実行が困難であった。
【０００４】
一般的な駐車場のゲートマネージャーと駐車場管理ホストとの間を接続する回路はドライ回路であり、即ち、駐車場のゲートが動作していない場合、前記ゲートマネージャーと前記駐車場管理ホストとの間の電気回路のスイッチが開状態となる。前記ゲートが動作している場合、前記ゲートマネージャーが信号を前記スイッチに伝送して閉状態とし、前記駐車場管理ホストが前記スイッチの開閉状態を検出することで前記駐車場のゲートを車両が通過したかどうかを決定する。本考案の考案者は、上述の電気回路の状態の変化を検出することで前記ゲートマネージャーが前記ゲートを動作させているかどうかを決定することを望んでいる。このため、車両が駐車場に進入したかどうかを知ることで、駐車場の空き駐車スペース数を知ることができるようになる。また、ドライバーに空き駐車スペースの予約サービスを提供する。
【０００５】
そこで、本考案者は上記の欠点が改善可能と考え、鋭意検討を重ねた結果、合理的設計で上記の課題を効果的に改善する本考案の提案に到った。
【０００６】
本考案はこうした状況に鑑みてなされたものであり、その目的は、駐車場のスマート駐車スペース管理と空き駐車スペースを特定するための回路及び制御システムを提供することにある。
【課題を解決するための手段】
【０００７】
上記課題を解決するために、本考案のある態様の駐車場のスマート駐車スペース管理と空き駐車スペースを特定するための回路及び制御システムは、
少なくとも１つの駐車場からの空き駐車スペースメッセージを受信する駐車スペース管理ユニットであって、前記駐車スペース管理ユニットは少なくとも１つの駐車場リストを含み、各前記駐車場リストには対応する駐車場のメッセージを記録し、前記メッセージは空き駐車スペース数を含み、前記駐車スペース管理ユニットは対応する駐車場の空き駐車スペース数の計算に用いる少なくとも１つの空き駐車スペースカウントユニットを更に含むことと、
駐車場の出入口のゲートマネージャーと駐車場管理ホストの回路との間に接続する少なくとも１つのゲートアクションユニットであって、前記駐車場の出入口に車両が進入または発車すると、前記ゲートマネージャーが前記ゲートマネージャーから前記駐車場管理ホストまでの間の電気回路の状態を改変し、前記ゲートアクションユニットが前記電気回路の状態を検出し、車両が前記駐車場に進入または発車したか否かを知ることができることと、を備え、
前記駐車スペース管理ユニットの各前記空き駐車スペースカウントユニットは対応する駐車場の出入口のゲートアクションユニットに接続し、前記ゲートアクションユニットが車両の進入を検知すると、前記空き駐車スペースカウントユニットが前記対応する駐車場の空き駐車スペース数を１加算し、反対に、前記ゲートアクションユニットが車両の発車を検知すると、前記空き駐車スペースカウントユニットが前記対応する駐車場の空き駐車スペース数を１減算し、これにより前記対応する駐車場の空き駐車スペース数を知ることができる。
【考案の効果】
【０００８】
本考案は、ゲートアクションユニットにより駐車場のゲートマネージャーと駐車場管理ホストとの間の電気回路の状態を検出し、前記ゲートマネージャーが駐車場のゲートを動作させているかどうかを決定する。これにより、車両が駐車場に進入したかどうかを知り、駐車場の空き駐車スペース数も知ることができる。本考案は、従来の技術では駐車場管理ホストから駐車場の空き駐車スペース数を取得できないという欠点を改善する。本考案の方式を応用することで、複数の駐車場にゲートアクションユニットを配置して各駐車場の空き駐車スペース数を得ることが可能になり、複数の駐車場の異なるブランドの管理設備を統合し、駐車スペースの即時直列接続共通管理機能を有する。また、ドライバーに空き駐車スペースの予約サービスも提供する。
【０００９】
本明細書及び図面の記載により、少なくとも、以下の事項が明らかとなる。
【図面の簡単な説明】
【００１０】
【図１】本考案の組み合わせ部材の接続を示す概略図である。
【図２】本考案の他の組み合わせ部材の接続を示す概略図である。
【図３】本考案の部材構成を示すブロック図である。
【図４】本考案のゲートアクションユニットと空き駐車スペースカウントユニットの接続構成を示す概略図である。
【図５】本考案のゲートアクションユニットと空き駐車スペースカウントユニットの他の接続構成を示す概略図である。
【考案を実施するための形態】
【００１１】
以下に図面を参照して、本考案を実施するための形態について、詳細に説明する。なお、本考案は、以下に説明する実施形態に限定されるものではない。
【００１２】
次に、図１〜５を参照しながら、本考案の駐車場のスマート駐車スペース管理と空き駐車スペースを特定するための回路及び制御システムをさらに詳しく説明する。下記部材で構成する。
＜駐車スペース管理ユニット１０＞
【００１３】
少なくとも１つの駐車場１００からの空き駐車スペースメッセージを受信する。前記駐車スペース管理ユニット１０は少なくとも１つの駐車場リスト１１を含み、各前記駐車場リスト１１は対応する駐車場１００のメッセージを記録し、空き駐車スペース数２１、アドレス、所定の空き駐車スペース数等の情報を含む。前記駐車スペース管理ユニット１０は少なくとも１つの空き駐車スペースカウントユニット２０を備え、各前記空き駐車スペースカウントユニット２０は対応する駐車場１００の空き駐車スペース数２１の計数に用いる。
＜少なくとも１つのゲートアクションユニット３０＞
【００１４】
駐車場１００の出入口のゲートマネージャー４０と駐車場管理ホスト５０の回路との間に接続する。車両が前記駐車場１００の出入口に進入または発車した場合、前記ゲートマネージャー４０が前記ゲートマネージャー４０から前記駐車場管理ホスト５０までの間の電気回路の状態を改変し、前記ゲートアクションユニット３０が前記電気回路の状態を検出することにより、車両が前記駐車場１００に進入または発車したか否かを知ることが可能になる。前記駐車場管理ホスト５０は発券機、ETC RFID、ナンバープレート識別機等の前記駐車場１００のゲート端に位置する。
【００１５】
図１乃至図４に示されるように、一般的には前記駐車場１００の入口２０１及び出口２０２にはゲートマネージャー４０を各々有し、対応するゲートマネージャー４０に接続する入口２０１及び出口２０２にはゲートアクションユニット３０を各々装設する。入口２０１のゲートアクションユニット３０が動作している場合は車両が進入したことを示す。反対に、出口２０２のゲートアクションユニット３０が動作している場合は車両が発車したことを示す。
【００１６】
図２と図５に示されるように、１つのゲートアクションユニット３０が同時に駐車場１００の出入口２０３とし、且つ前記ゲートアクションユニット３０に１つのゲートマネージャー４０を設置している場合、駐車場１００の出入口２０３に車両出入り検出器８０を増設して車両の出入りを検出する。前記ゲートアクションユニット３０が動作して前記車両出入り検出器８０が車両が駐車場１００に進入したことを検出する場合、前記１つのゲートマネージャー４０は入口のゲートマネージャー４０と見做す。前記ゲートアクションユニット３０が動作して前記車両出入り検出器８０が車両が駐車場１００から発車したことを検出する場合、前記１つのゲートマネージャー４０は出口のゲートマネージャー４０と見做す。
【００１７】
一般的な前記ゲートマネージャー４０と前記駐車場管理ホスト５０との間を接続する回路はドライ回路であるため、駐車場１００の出入口のゲート２００が動作していない場合、前記ゲートマネージャー４０と前記駐車場管理ホスト５０との間の電気回路のスイッチ５２が第一状態（開回路OFF）となる。前記駐車場１００の出入口のゲート２００が動作している場合、前記ゲートマネージャー４０が信号を前記スイッチ５２に伝送して第二状態（閉回路ON）とする。前記駐車場管理ホスト５０が前記スイッチ５２が第一状態または第二状態であることを検出して前記駐車場１００の出入口のゲート２００を車両が通過したかどうかを決定する。本考案の前記ゲートアクションユニット３０は並列または直列方式で前記ゲートマネージャー４０と前記駐車場管理ホスト５０との間の電気回路に接続し、前記スイッチ５２が第一状態または第二状態であることを検出することで、車両が前記ゲートを通過したかどうかを知ることが可能となる。図４及び図５に示されるように、前記ゲートアクションユニット３０は並列方式で前記ゲートマネージャー４０と前記駐車場管理ホスト５０との間の電気回路に接続する。このため、本考案の前記ゲートアクションユニット３０は前記ゲートマネージャー４０と前記駐車場管理ホスト５０との間の電気回路のスイッチの状態を検出することで前記ゲートマネージャー４０が前記ゲート２００を動作させているかどうかを決定する。
【００１８】
従来の設備では、駐車場管理ホスト５０が駐車場１００の空き駐車スペース計数機能を有するが、この計数値は往々にして管理ホストの内部システムにしか使用できず、他のバックエンド（例えば、クラウド）装置によりその計数値を獲得することができなかった。本考案の方式を応用することで、前記駐車場管理ホスト５０により駐車場１００の空き駐車スペース数２１の計数値を獲得可能となる。
【００１９】
前記駐車スペース管理ユニット１０の各前記空き駐車スペースカウントユニット２０は対応する駐車場１００の前記入口２０１及び出口２０２のゲートアクションユニット３０に接続する。前記入口２０１のゲートアクションユニット３０が車両の進入を検知すると、前記空き駐車スペースカウントユニット２０が前記対応する駐車場１００の空き駐車スペース数２１を１加算する。反対に、前記出口２０２のゲートアクションユニット３０が車両の発車を検知すると、前記空き駐車スペースカウントユニット２０が前記対応する駐車場１００の空き駐車スペース数２１を１減算する。これにより、前記対応する駐車場１００の空き駐車スペース数２１を知ることが可能になる。
【００２０】
前記駐車場１００の空き駐車スペースが予約された場合、前記予約メッセージを前記空き駐車スペースカウントユニット２０または前記駐車場１００の対応する駐車場リスト１１に記?する。
【００２１】
一般的な前記駐車スペース管理ユニット１０は複数の前記空き駐車スペースカウントユニット２０を備え、各前記空き駐車スペースカウントユニット２０は駐車場１００に接続する。よって、前記駐車スペース管理ユニット１０は接続している全ての駐車場１００の空き駐車スペース数２１を知ることができる。
【００２２】
前記駐車スペース管理ユニット１０と外部のユーザー５００との間を接続するための予約インターフェース６０は前記駐車スペース管理ユニット１０に位置する。外部のユーザー５００は前記予約インターフェース６０を使用して駐車スペースを予約する。
【００２３】
駐車スペース調整ユニット７０は前記駐車スペース管理ユニット１０に位置し、且つ前記駐車スペース調整ユニット７０は前記予約インターフェース６０及び前記少なくとも１つの駐車場リスト１１に接続する。前記駐車スペース調整ユニット７０は駐車場１００の空き駐車スペース情報及び関連するアドレスをユーザー５００に表示するために用いる。ユーザー５００は前記予約インターフェース６０を使用して本考案のシステムに進入し、前記駐車スペース調整ユニット７０により各駐車場１００の空き駐車スペース情報及び関連するアドレス、並びに予約状況を知ることができる。よって、駐車スペースを選択して予約し、前記予約メッセージが保存される。
【００２４】
前記駐車スペース管理ユニット１０の各前記空き駐車スペースカウントユニット２０は補正ユニット２５を更に備え、前記補正ユニット２５は対応する駐車場リスト１１の空き駐車スペース数２１及び対応するゲートアクションユニット３０が検出した電気回路の状態（例えば、満車ランプ状態）に基づいて、前記対応する駐車場リスト１１の空き駐車スペース数２１を補正し、前記対応する駐車場リスト１１の空き駐車スペース数２１を対応する駐車場管理ホスト５０に記録されている実際の空き駐車スペース数に適合させる。
【００２５】
図３に示されるように、前記駐車スペース管理ユニット１０は各ユーザー５００の基本データ及び取引状況を記録するユーザーリスト１２を含む。前記ユーザー５００は個人５０１またはグループ５０２（例えば、会社等）である。空き駐車スペースは全スペースを一括でユーザー５００に貸し出し可能である。本考案の前記駐車スペース管理ユニット１０はクラウドシステム８００に位置する。末端のユーザー５００は携帯電話、パソコン、タブレット端末、PDA等の各種電子情報機器６００を利用してネットワーク７００（クラウドネットワーク７０１やルーター７０２等のネットワーク通信フレームワークを含む）を通して本システムの駐車スペース管理ユニット１０に接続する。
【００２６】
上記説明は、本考案を説明するためのものであって、実用新案登録請求の範囲に記載の発明を限定し、或いは範囲を限縮するように解すべきではない。また、本考案の各部構成は、上記実施例に限らず、実用新案登録請求の範囲に記載の技術的範囲内で種々の変形が可能であることは勿論である。
【符号の説明】
【００２７】
１０  駐車スペース管理ユニット
１１  駐車場リスト
１２  ユーザーリスト
２０  空き駐車スペースカウントユニット
２１  空き駐車スペース数
２５  補正ユニット
３０  ゲートアクションユニット
４０  ゲートマネージャー
５０  駐車場管理ホスト
５２  スイッチ
６０  予約インターフェース
７０  駐車スペース調整ユニット
８０  車両出入り検出器
１００  駐車場
２００  ゲート
２０１  入口
２０２  出口
２０３  出入口
５００  ユーザー
５０１  個人
５０２  グループ
６００  電子情報機器
７００  ネットワーク
７０１  クラウドネットワーク
７０２  ルーター
８００  クラウドシステム
【図１】
0003231331.tif 000003
【図２】
0003231331.tif 000004
【図３】
0003231331.tif 000005
【図４】
0003231331.tif 000006
【図５】
0003231331.tif 000007
【手続補正書】
【提出日】令和3年1月21日(2021.1.21)
【手続補正１】
【補正対象書類名】実用新案登録請求の範囲
【補正対象項目名】全文
【補正方法】変更
【補正の内容】
【実用新案登録請求の範囲】
【請求項１】
少なくとも１つの駐車場からの空き駐車スペースメッセージを受信する駐車スペース管理ユニットであって、前記駐車スペース管理ユニットは少なくとも１つの駐車場リストを含み、各前記駐車場リストには対応する駐車場のメッセージを記録し、前記メッセージは空き駐車スペース数を含み、前記駐車スペース管理ユニットは対応する駐車場の空き駐車スペース数の計算に用いる少なくとも１つの空き駐車スペースカウントユニットを更に含むことと、
駐車場の出入口のゲートマネージャーと駐車場管理ホストの回路との間に接続する少なくとも１つのゲートアクションユニットであって、前記駐車場の出入口に車両が進入または発車すると、前記ゲートマネージャーが前記ゲートマネージャーから前記駐車場管理ホストまでの間の電気回路の状態を改変し、前記ゲートアクションユニットが前記電気回路の状態を検出し、車両が前記駐車場に進入または発車したか否かを知ることができることと、を備え、
前記駐車スペース管理ユニットの各前記空き駐車スペースカウントユニットは対応する駐車場の出入口のゲートアクションユニットに接続し、前記ゲートアクションユニットが車両の進入を検知すると、前記空き駐車スペースカウントユニットが前記対応する駐車場の空き駐車スペース数を１減算し、反対に、前記ゲートアクションユニットが車両の発車を検知すると、前記空き駐車スペースカウントユニットが前記対応する駐車場の空き駐車スペース数を１加算し、これにより前記対応する駐車場の空き駐車スペース数を知ることができることを特徴とする駐車場のスマート駐車スペース管理と空き駐車スペースを特定するための回路及び制御システム。
【請求項２】
前記ゲートマネージャーと前記駐車場管理ホストとの間の接続回路はドライ回路であり、前記駐車場の出入口のゲートが動作していない場合、前記ゲートマネージャーと前記駐車場管理ホストとの間の電気回路のスイッチが第一状態となり、前記駐車場の出入口のゲートが動作している場合、前記ゲートマネージャーが信号を前記スイッチに伝送してこれを第二状態にし、前記駐車場管理ホストが前記スイッチが第一状態または第二状態であることを検出することで前記駐車場の出入口のゲートを車両が通過したかどうかを決定し、前記ゲートアクションユニットは並列または直列方式で前記ゲートマネージャーと前記駐車場管理ホストとの間の電気回路を接続し、前記スイッチが第一状態または第二状態を検出することで、車両が前記ゲートを通過したか否かを知ることができ、前記ゲートアクションユニットは前記ゲートマネージャーと前記駐車場管理ホストとの間の電気回路のスイッチの状態を検出することで前記ゲートマネージャーが前記ゲートを動作させるか否か決定することを特徴とする請求項１に記載の駐車場のスマート駐車スペース管理と空き駐車スペースを特定するための回路及び制御システム。
【請求項３】
前記駐車場の出入口が出口及び入口に分かれている場合、前記駐車場の入口及び出口にはゲートマネージャーを各々有し、よって、入口及び出口には対応するゲートマネージャーに接続するゲートアクションユニットを各々装設し、入口のゲートアクションユニットが動作している場合は車両が進入したことを示し、反対に、出口のゲートアクションユニットが動作している場合は車両が発車したことを示し、
前記駐車スペース管理ユニットの各前記空き駐車スペースカウントユニットは対応する駐車場の前記入口及び出口のゲートアクションユニットに接続し、前記入口のゲートアクションユニットが車両が進入したことを検知すると、前記空き駐車スペースカウントユニットが前記対応する駐車場の空き駐車スペース数を１減算し、反対に、前記出口のゲートアクションユニットが車両の発車を検知すると、前記空き駐車スペースカウントユニットが前記対応する駐車場の空き駐車スペース数を１加算し、これにより前記対応する駐車場の空き駐車スペース数を知ることができることを特徴とする請求項１に記載の駐車場のスマート駐車スペース管理と空き駐車スペースを特定するための回路及び制御システム。
【請求項４】
前記駐車場の出入口を同時に出口及び入口とする場合、前記出入口には１つのゲートアクションユニットを配置し、また、前記ゲートアクションユニットには１つのゲートマネージャーを設置し、駐車場の出入口には車両の出入りを検出するための車両出入り検出器を増設し、前記ゲートアクションユニットが動作して前記車両出入り検出器が車両が駐車場に進入したことを検出する場合、前記１つのゲートマネージャーは入口のゲートマネージャーと見做し、前記ゲートアクションユニットが動作して前記車両出入り検出器が車両が駐車場を発車したことを検出する場合、前記１つのゲートマネージャーは出口のゲートマネージャーと見做すことを特徴とする請求項１に記載の駐車場のスマート駐車スペース管理と空き駐車スペースを特定するための回路及び制御システム。
【請求項５】
前記駐車スペース管理ユニットの各前記駐車場リストに記録する対応する駐車場のメッセージはアドレス及び所定の空き駐車スペース数を更に含むことを特徴とする請求項１に記載の駐車場のスマート駐車スペース管理と空き駐車スペースを特定するための回路及び制御システム。
【請求項６】
前記駐車場の空き駐車スペースが予約された場合、前記予約メッセージを前記空き駐車スペースカウントユニットまたは前記駐車場の対応する駐車場リストに記録することを特徴とする請求項１に記載の駐車場のスマート駐車スペース管理と空き駐車スペースを特定するための回路及び制御システム。
【請求項７】
前記駐車スペース管理ユニットの前記少なくとも１つの空き駐車スペースカウントユニットが複数の前記空き駐車スペースカウントユニットである場合、各前記空き駐車スペースカウントユニットを駐車場に接続し、こうして、前記駐車スペース管理ユニットが接続している全ての駐車場の空き駐車スペース数を知ることができることを特徴とする請求項１に記載の駐車場のスマート駐車スペース管理と空き駐車スペースを特定するための回路及び制御システム。
【請求項８】
前記駐車スペース管理ユニットに位置し、前記駐車スペース管理ユニットと外部的ユーザーとの間を接続するための予約インターフェースを更に備え、前記ユーザーは電子情報機器を使用してネットワークを介して前記予約インターフェースに接続し、駐車スペースを予約することを特徴とする請求項１に記載の駐車場のスマート駐車スペース管理と空き駐車スペースを特定するための回路及び制御システム。
【請求項９】
前記電子情報機器は携帯電話、パソコン、タブレット端末、PDAから選択することを特徴とする請求項７に記載の駐車場のスマート駐車スペース管理と空き駐車スペースを特定するための回路及び制御システム。
【請求項１０】
前記駐車スペース管理ユニットに位置する駐車スペース調整ユニットを更に備え、且つ前記駐車スペース調整ユニットは前記予約インターフェース及び前記少なくとも１つの駐車場リストに接続し、前記駐車スペース調整ユニットは各駐車場の空き駐車スペース情報及び関連するアドレスをユーザーに表示し、ユーザーが前記予約インターフェースを使用してシステムに進入すると、前記駐車スペース調整ユニットにより各駐車場の空き駐車スペース情報及び関連するアドレス、並びに予約状況を知ることができ、これにより駐車スペースを選択して予約可能になり、前記予約メッセージが保存されることを特徴とする請求項８に記載の駐車場のスマート駐車スペース管理と空き駐車スペースを特定するための回路及び制御システム。
【請求項１１】
前記駐車スペース管理ユニットは各ユーザーの基本データ及び取引状況を記録するためのユーザーリストを含むことを特徴とする請求項１に記載の駐車場のスマート駐車スペース管理と空き駐車スペースを特定するための回路及び制御システム。
【請求項１２】
前記ユーザーは個人またはグループであることを特徴とする請求項１０に記載の駐車場のスマート駐車スペース管理と空き駐車スペースを特定するための回路及び制御システム。
【請求項１３】
前記空き駐車スペースは全スペース一括で前記ユーザーに貸し出し可能であることを特徴とする請求項７に記載の駐車場のスマート駐車スペース管理と空き駐車スペースを特定するための回路及び制御システム。
【請求項１４】
前記駐車場管理ホストは前記駐車場のゲート端に位置することを特徴とする請求項１に記載の駐車場のスマート駐車スペース管理と空き駐車スペースを特定するための回路及び制御システム。
【請求項１５】
前記駐車スペース管理ユニットはクラウドシステムに位置することを特徴とする請求項１に記載の駐車場のスマート駐車スペース管理と空き駐車スペースを特定するための回路及び制御システム。
【請求項１６】
前記駐車スペース管理ユニットの各前記空き駐車スペースカウントユニットは補正ユニットを更に備え、前記補正ユニットは対応する駐車場リストの空き駐車スペース数及び対応するゲートアクションユニットが検出した電気回路の状態に基づいて、前記対応する駐車場リストの空き駐車スペース数を補正し、前記対応する駐車場リストの空き駐車スペース数を対応する駐車場管理ホストに記録されている実際の空き駐車スペース数に適合させることを特徴とする請求項１に記載の駐車場のスマート駐車スペース管理と空き駐車スペースを特定するための回路及び制御システム。